(57)【要約】【課題】浴室など、高湿度あるいは湯水が降り注ぐ環境下においても水の滲み込みによって外観を損なったり、内容物のくみ出しなどの機能を失うことのない、ポンプディスペンサ付き液体紙容器を提供することを課題とする。【解決手段】紙を基材として、表面および裏面全体にプラスチックフィルム層を有する積層体からなる紙容器本体、およびプラスチック部材からなるポンプディスペンサから構成される液体紙容器であって、紙容器本体は、内部と外部との気圧差がなくても、内容液の残存量によらず形状を維持できる程度の剛性を有しており、紙容器本体は、基材とする紙のエッジウイックが０．５ｇ／１０００ｍｍ２以下のものを用いた積層体で構成されていることを特徴とするポンプディスペンサ付き液体紙容器である。【選択図】図１
2019099266.tif 000002
【特許請求の範囲】
【請求項１】
紙を基材として、表面および裏面全体にプラスチックフィルム層を有する積層体からなる紙容器本体、およびプラスチック部材からなるポンプディスペンサから構成される液体紙容器であって、
該紙容器本体は、内部と外部との気圧差がなくても、内容液の残存量によらず形状を維持できる程度の剛性を有しており、
該ポンプディスペンサは、該紙容器本体の上部に形成された貫通孔に挿入されて、紙容器本体側のスパウトと、ポンプディスペンサ側の取り付け部とによって固定されて液体紙容器を構成し、
該ポンプディスペンサは、ポンプ部および支持部材から構成されており、
該ポンプ部は、上部にポンプヘッドと、それに接続するピストン、およびシリンダ部を備えており、
該支持部材は、ポンプディスペンサが該紙容器本体に取り付けられた状態において、該紙容器本体の内部に配置され、該ポンプ部から下方に延伸し、容器本体底部に到達してポンプ部を下方から支えることができ、
該ポンプディスペンサは、ポンプヘッドを鉛直方向下方へ向かって押し下げることにより、該支持部材下部からの内容液の吸引と、ポンプ部への送り出しによって、液体紙容器外部への内容液のくみ出しが可能となる機構であって、
該紙容器本体は、基材とする紙のエッジウイックが０．５ｇ／１０００ｍｍ２以下のものを用いた積層体で構成されていることを特徴とするポンプディスペンサ付き液体紙容器。
【請求項２】
前記積層体中にはガスバリア層が積層されて、紙容器本体を構成していることを特徴とする請求項１に記載のポンプディスペンサ付き液体紙容器。
【発明の詳細な説明】
【技術分野】
【０００１】
本発明は紙容器に関するものである。特に紙容器に備えられた手押し式のポンプディスペンサにより内容液をくみ出すことが可能な、ポンプディスペンサ付き液体紙容器に関するものである。
【背景技術】
【０００２】
容器本体と、容器本体の上部に形成された貫通孔に挿入して取り付けられた、ポンプヘッドを押圧することにより、内容液をくみ出すことのできるポンプディスペンサを備えた包装容器が知られている。
【０００３】
このような機構の包装容器としては、シャンプーやコンディショナー、また液体石鹸などのトイレタリー用品、あるいは台所用洗剤などにも用いられており、プラスチックボトルにポンプディスペンサを取り付けたものが商品化されて広く用いられている。
【０００４】
最近では、環境問題などを背景としてプラスチックボトルに代えて、紙を基材とする紙製の容器を用いたものも見られるようになっている。たとえば特許文献１には、紙を基材としたシート材を用いて、箱型に形成された容器本体を有し、容器本体に取り付けられたポンプディスペンサを備えて、内溶液を定量づつ注ぎ出し可能な液体容器が開示されている。
【０００５】
しかしながら紙基材を用いることの、問題点は紙基材が、水の滲み込み等によって軟化し、剛性を失い、この場合にはポンプディスペンサの固定が不十分になり、注ぎ出しに支障をきたしたり、しみこんだ水分がカビなどの発生を招くなどの不具合を招くことに繋がり、商品として致命的な欠陥となるおそれがある。
【０００６】
水の滲み込みに関して、特許文献１には、紙基材の断面が底面に接しないよう、一定の配慮は見られるものの、ポンプディスペンサ付き液体紙容器が浴室で使用される場合には、環境自体が高湿度であり、時にはシャワーの湯水や浴槽からの湯水が頻繁にかかることは避けられず、十分な対策とはいえない状況である。
【先行技術文献】
【特許文献】
【０００７】
【特許文献１】特開平１０−１４７３３５号公報
【発明の概要】
【発明が解決しようとする課題】
【０００８】
本発明はかかる状況に鑑みてなされたものであって、浴室など、高湿度あるいは湯水が降り注ぐ環境下においても水の滲み込みによって外観を損なったり、内容物のくみ出しなどの機能を失うことのない、ポンプディスペンサ付き液体紙容器を提供することを課題とする。
【課題を解決するための手段】
【０００９】
上記の課題を解決するための手段として、請求項１に記載の発明は、
紙を基材として、表面および裏面全体にプラスチックフィルム層を有する積層体からなる紙容器本体、およびプラスチック部材からなるポンプディスペンサから構成される液体紙容器であって、
該紙容器本体は、内部と外部との気圧差がなくても、内容液の残存量によらず形状を維
持できる程度の剛性を有しており、
該ポンプディスペンサは、該紙容器本体の上部に形成された貫通孔に挿入されて紙容器本体側のスパウトと、ポンプディスペンサ側の取り付け部とによって固定されて液体紙容器を構成し、
該ポンプディスペンサは、ポンプ部および支持部材から構成されており、
該ポンプ部は、上部にポンプヘッドと、それに接続するピストン、およびシリンダ部を備えており、
該支持部材は、ポンプディスペンサが該紙容器本体に取り付けられた状態において、該紙容器本体の内部に配置され、該ポンプ部から下方に延伸し、容器本体底部に到達してポンプ部を下方から支えることができ、
該ポンプディスペンサは、ポンプヘッドを鉛直方向下方へ向かって押し下げることにより、該支持部材下部からの内容液の吸引、ポンプ部への送り出しによって、液体紙容器外部への内容液のくみ出しが可能となる機構であって、
該紙容器本体は、基材とする紙のエッジウイックが０．５ｇ／１０００ｍｍ２以下のものを用いた積層体で構成されていることを特徴とするポンプディスペンサ付き液体紙容器である。
【００１０】
また、請求項２に記載の発明は、
前記積層体中にはガスバリア層が積層されて、紙容器本体を構成していることを特徴とする請求項１に記載のポンプディスペンサ付き液体紙容器である。
【発明の効果】
【００１１】
本発明によれば、浴室など、高湿度あるいは湯水が降り注ぐ環境下においても水の滲み込みによって外観を損なったり、内容物のくみ出しなどの機能を失うことのない、ポンプディスペンサ付き液体紙容器を提供することが可能である。
【００１２】
すなわち、基材とする紙のエッジウイックが０．５ｇ／１０００ｍｍ２以下のものを用いた積層体で構成されていることによって、浴室など、高湿度あるいは湯水が降り注ぐ環境下においてもその機能を失うことのない、ポンプディスペンサ付き液体紙容器の実現が可能になる。
【００１３】
特に請求項２に記載の発明によれば、浴室など、高湿度あるいは湯水が降り注ぐ環境下においても水の滲み込みによって外観を損なったり、内容物のくみ出しなどの機能を失うことのない、ポンプディスペンサ付き液体紙容器を提供することが可能であることに加えて、製品の段階、あるいは使用の段階において、内容物の外部環境による変化、変質を防止することが可能になり、内容物の長期保存性を向上させることに効果的である。
【図面の簡単な説明】
【００１４】
【図１】図１は、本発明に係るポンプディスペンサ付き液体紙容器の一実施形態を説明するための、斜視模式図である。
【図２】図２は、本発明に係るポンプディスペンサ付き液体紙容器の一実施形態に関して、ポンプディスペンサ部分を説明するための、斜視模式図である。
【図３】図３は、本発明に係るポンプディスペンサ付き液体紙容器の一実施形態を説明するための、図１に示すＡ−Ｂ線で垂直に切断した、断面模式図である。
【図４】図４は、本発明に係るポンプディスペンサ付き液体紙容器の、他の実施形態を説明するための、斜視模式図である。
【図５】図５は、図４に示す本発明に係るポンプディスペンサ付き液体紙容器を実現するためのブランクスを説明するための、平面展開模式図である。
【図６】図６は、本発明に係るポンプディスペンサ付き液体紙容器を構成する、積層体の一実施形態においてその層構成を説明するための、部分断面模式図である。
【図７】図７は、本発明に係るポンプディスペンサ付き液体紙容器の実施例、および比較例を説明するための斜視模式図である。
【発明を実施するための形態】
【００１５】
以下、本発明を図を参照しながら、更に詳しい説明を加える。ただし本発明は、ここに示す例にのみ限定されるものではない。本発明は、請求項によって限定されるものである。
【００１６】
図１は、本発明に係るポンプディスペンサ付き液体紙容器の一実施形態を説明するための、斜視模式図である。
【００１７】
本発明は、紙を基材として、表面および裏面全体にプラスチックフィルム層を有する積層体からなる紙容器本体（２０）、およびプラスチック部材からなるポンプディスペンサ（３０）から構成される、ポンプディスペンサ付き液体紙容器（１）である。
【００１８】
ここで、プラスチックフィルム層は、予め成膜されたプラスチックフィルムであってもよく、あるいは押出機などで膜状に押し出された溶融状態のプラスチックフィルムで積層体の表面、または裏面、またはその両面に層を形成するのでもよい。
【００１９】
紙容器本体（２０）は、内部と外部との気圧差がなくても、内容液の残存量によらず形状を維持できる程度の剛性を有している。
【００２０】
使用できる紙質は、剛性に配慮すれば限定を加えるものではないが、たとえば坪量２００ｇ／ｍ２〜５００ｇ／ｍ２の範囲で、密度０．６ｇ／ｃｍ３〜１．１ｇ／ｃｍ３の範囲のものを好適に使用することができる。
【００２１】
本発明において、紙容器本体（２０）は、基材とする紙のエッジウイックが０．５ｇ／１０００ｍｍ２以下のものを用いた積層体で構成されている。
【００２２】
すなわち我々は、本発明において鋭意検討を重ねた結果、この範囲であれば、浴室など、高湿度あるいは湯水が降り注ぐ環境下においてもその機能を失うことのない、ポンプディスペンサ付き液体紙容器（１）を提供することにおいて、最適であることを見出した。
【００２３】
エッジウイックは紙の端面からの水の滲み込みを評価する方法であって、本発明において下記の方法によって測定される値である。
【００２４】
まず、原紙サンプルの表裏をプラスチックフィルムで覆い、これを４０ｍｍ×１５ｍｍ（幅）にカットする。
【００２５】
次にこのカットしたサンプルの重量を測定後、室温の蒸留水の中に６０分間浸漬する。続いて、蒸留水の中から取り出して、余分な水分を拭き取ったうえで、再度重量を測定する。
【００２６】
浸漬の前後の重量の差と、紙の断面積よりエッジウイックを求める。
すなわち、単位はｇ／１０００ｍｍ２となる。
【００２７】
基材とする紙のエッジウイックを０．５ｇ／１０００ｍｍ２以下にする方法については、既知の方法の中から任意に選択可能であって、たとえば製紙工程において内添サイズ剤として、ロジン系、あるいはアルキルケテンダイマー（ＡＫＤ）系、あるいはアルケニル無水コハク酸（ＡＳＡ）系を添加する方法がある。また含浸コート剤として、イソシアネート樹脂をコーティングすることも可能である。
【００２８】
また、表面および裏面全体にプラスチックフィルム層を有する積層体は、紙を基材として、たとえば表面にポリエチレン樹脂層を配することができる。ここで用いることのできるポリエチレン樹脂層は、たとえば低密度直鎖状ポリエチレン樹脂、または低密度ポリエチレン樹脂などである。
【００２９】
表面にポリエチレン樹脂層を形成するには、たとえば押し出し加工によって行なうことができる。また、表面に印刷層を設ける場合には、印刷インクとの密着性向上を目的としてコロナ放電処理などの表面処理を行なうことができる。
【００３０】
裏面に設けるプラスチックフィルム層は、シーラント層として設けることができる。これら表裏のプラスチックフィルム層は、熱可塑性樹脂であって、紙容器本体（２０）はヒートシールによって、箱型、すなわち図１に示す例においては、直方体に組み立てることができる。
【００３１】
以下、裏面のプラスチックフィルム層、すなわちシーラント層について詳細に説明する。紙容器本体（２０）を構成する積層体のシーラント層は、２枚の積層体をシーラント層同士が対向するように重ねて、加熱、加圧してヒートシールすることによって互いを接着させ、箱型に形成することを可能にする。
【００３２】
シーラント層の材質としては、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂を用いることができる。
【００３３】
また、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。
【００３４】
シーラント層の形成には、前述の材料を主として、押出機などを用いて、溶融した樹脂を製膜して積層体上にシーラント層を形成することができる。
【００３５】
あるいは、あらかじめフィルムの状態に製膜してある材料を、ラミネートによって積層することによって、積層体裏面にシーラント層を形成することも可能である。
【００３６】
このように、紙容器本体（２０）は、積層体のヒートシールによって箱型に組立てられ、高さ（Ｈ）、幅（Ｗ）、奥行き（Ｄ）を持つことができる。このとき、たとえば図１に示す例においては、積層体端面（２１）が図中太線で示す部分に露出している。
【００３７】
図２は、本発明に係るポンプディスペンサ付き液体紙容器の一実施形態に関して、ポンプディスペンサ部分を説明するための、斜視模式図である。
【００３８】
ポンプディスペンサ（３０）は、紙容器本体（２０）の上部に形成された貫通孔に挿入されて紙容器本体（２０）側のスパウトと、ポンプディスペンサ（３０）側の取り付け部（３６）とによって固定されて、ポンプディスペンサ付き液体紙容器（１）を構成している。
【００３９】
ポンプディスペンサ（３０）、および取り付け部（３６）、また紙容器本体側のスパウトは、プラスチックの成形品のパーツから構成することができる。
【００４０】
またポンプディスペンサ（３０）は、ポンプ部（３１）および支持部材（３２）から構成されており、ポンプ部（３１）は、上部にポンプヘッド（３３）と、それに接続するピストン（３５）、およびシリンダ部（３７）を備えている。
【００４１】
また、支持部材（３２）は、ポンプディスペンサ（３０）が紙容器本体（２０）に取り付けられた状態において、紙容器本体（２０）の内部に配置され、ポンプ部（３１）から下方に延伸し、紙容器本体（２０）底面に到達して、ポンプ部（３１）を下方から支えることができる。支持部材（３２）の下部には、内溶液吸引のための切り欠き（３８）が設けてある。
【００４２】
図３は、本発明に係るポンプディスペンサ付き液体紙容器の一実施形態を説明するための、図１に示すＡ−Ｂ線で垂直に切断した、断面模式図である。
【００４３】
前述のように、本発明においてポンプディスペンサ（３０）は、紙容器本体（２０）の上部に形成された貫通孔に挿入されて紙容器本体（２０）側のスパウト（２２）と、ポンプディスペンサ（３０）側の取り付け部（３６）とによって固定されて、ポンプディスペンサ付き液体紙容器（１）を構成している。
【００４４】
また、底面（２５）に接する支持部材（３２）の下部には、内溶液（２３）吸引のための切り欠き（３８）が設けてある。すなわちポンプディスペンサ（３０）は、ポンプヘッド（３３）を鉛直方向下方へ向かって押し下げることにより、支持部材（３２）下部からの内容液（２３）の吸引、ポンプ部（３１）への送り出しによって、液体紙容器外部への内容液（２３）のくみ出しが可能となる機構である。
【００４５】
図４は、本発明に係るポンプディスペンサ付き液体紙容器の、他の実施形態を説明するための、斜視模式図である。
【００４６】
図４に示す例は図１に示す例とは、紙容器本体（２０）の組立て方が異なる例である。すなわち積層体端面（２１）の位置が、紙容器本体（２０）において底部より上方に位置する例である。
【００４７】
図４に示す例においては、天面板（４２）、側面板（４６）、側面矩形板（７６）、側面矩形板（８０）、側面折込板（７０）、側面折込板（７２）、側面折込板（６８）、側面折込板（６６）が、可視となっている。本発明において、図４に示す例の紙容器本体（２０）を実現するための、平面展開図については図５を用いて後述する。
【００４８】
図５は、本発明に係るポンプディスペンサ付き液体紙容器の、図４に示す例を実現するためのブランクスを説明するための、平面展開模式図である。
【００４９】
ポンプディスペンサ取り付け孔（２）を有する天面板（４２）から、山折罫線を介して側面板（４４）、底面版（４８）、側面板（４６）、シール部（８２）が連接されている。天面板（４２）の左右には、山折罫線を介して側面矩形版（７４）、側面矩形版、（７６）が連接され、底面版（４８）の左右には、山折罫線を介して側面矩形版（７８）、側面矩形版（８０）が連接されている。
【００５０】
側面板（４４）、および側面板（４６）には、それぞれ左右に側面三角板（５０）、側面三角板（５２）、と側面三角板（５４）側面三角板（５６）が、谷折線を介して連接し
ている。
【００５１】
さらに、側面板に接しない三角板の各辺には、側面折込板（５８）、側面折込板（６０）、側面折込板（６２）、側面折込板（６４）、側面折込板（６６）、側面折込板（６８）、側面折込板（７０）、側面折込板（７２）が、いずれも山折罫線を介して連接されている。
【００５２】
側面折込板（６２）、側面折込板（６６）、側面矩形版（７８）には、側面シール部（８４）が谷折罫線を介して連設されており、同様に、側面折込板（６４）、側面折込板（６８）、側面矩形版（８０）には、側面シール部（８６）が谷折罫線を介して連設されている。
【００５３】
図５に示したブランクスから、図４に示した紙容器を成形するには、まず、図５の垂直方向の罫線をすべて山折りして、シール部（８２）を天面板（４２）、側面矩形版（７４）、側面矩形版（７６）の裏面にヒートシールし、四角柱状にする。
この時事前に、シール部（８２）の内容物に触れる紙端面を、既知の方法（スカイブ、テープ貼り等）でエッジプロテクトしてよい。
【００５４】
次いで側面シール部（８４）部分を、相対する側面矩形板（７４）、側面折込板（５８）、側面折込板（７０）と合掌させてヒートシールする。側面三角板（５０）、側面三角板（５４）の山形の罫線が山折りになるように折畳んでヒートシールし、折込側面を形成する。次に反対側の側面シール部（８６）についても同様にして、折込側面を形成する。
【００５５】
本発明に係る液体用紙容器の容器形状については、ここに示す例にのみ限定されるものではなく、紙容器本体が同様の箱型形状を形成できるものであれば、目的を達成することができる。
【００５６】
図６は、本発明に係るポンプディスペンサ付き液体紙容器を構成する、積層体の一実施形態においてその層構成を説明するための、部分断面模式図である。
【００５７】
本発明において、積層体（１０）中にはガスバリア層（１４）が積層されて、紙容器本体を構成することができる。たとえば内容物の保存性を向上させることなどを目的として、必要な場合には、紙を基材とする積層体（１０）中にガスバリア層（１４）を設けることができる。
【００５８】
たとえば、ガスバリア層（１４）として、プラスチックフィルムの表面に無機化合物層を蒸着などして設けたガスバリアフィルムを用いることができる。またガスバリア層（１４）としてアルミニウムなどの金属箔を用いることができる。いずれの場合においても内容物の保存性向上に有効である。
【００５９】
ガスバリアフィルムの場合には、用いられるプラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。
【００６０】
特にポリプロピレン、ポリエチレンテレフタレートをプラスチックフィルム基材とする場合は、フィルム強度と価格においてより好ましい。
【００６１】
ガスバリアフィルムの場合、ガスバリア層は無機化合物の蒸着層、コーティング法によ
るコーティング層で構成することができ、プラスチックフィルムにアンカーコートを設けた後、蒸着層、コーティング層を順次設ける。
【００６２】
ガスバリアフィルムのアンカーコート層には、例えばウレタンアクリレートを用いることができる。アンカーコート層の形成には、樹脂を溶媒に溶解した塗料をグラビアコーティングなど印刷手法を応用したコーティング方法を用いるほか、一般に知られているコーティング方法を用いて塗膜を形成することができる。
【００６３】
蒸着層を形成する方法としては，ＳｉＯやＡｌＯなどの無機化合物を真空蒸着法を用いて、アンカーコート層を設けたプラスチックフィルム上に膜形成し、真空蒸着法による無機化合物層を形成することができる。ちなみに蒸着層の厚みは１５ｎｍ〜３０ｎｍが良い。
【００６４】
コーティング層を形成する方法としては、水溶性高分子と、（ａ）一種以上のアルコキシドまたはその加水分解物、または両者、あるいは（ｂ）塩化錫の、少なくともいずれかひとつを含む水溶液あるいは水／アルコール混合水溶液を主剤とするコーティング剤をフィルム上に塗布し、加熱乾燥してコーティング法による無機化合物層を形成しコーティング層とすることができる。
【００６５】
このときコーティング剤にはシランモノマーを添加しておくことによってアンカーコート層との密着の向上を図ることができる。
【００６６】
無機化合物層は真空蒸着法による塗膜のみでもガスバリア性を有するが、コーティング法による無機化合物層であるコーティング層を真空蒸着法による無機化合物層である蒸着層に重ねて形成し、ガスバリア層とすることができる。
【００６７】
これら２層の複合により、真空蒸着法による無機化合物層とコーティング法による無機化合物層との界面に両層の反応層を生じるか、或いはコーティング法による無機化合物層が真空蒸着法による無機化合物層に生じるピンホール、クラック、粒界などの欠陥あるいは微細孔を充填、補強することで、緻密構造が形成される。
【００６８】
そのため、ガスバリアフィルムとしてより高いガスバリア性、耐湿性、耐水性を実現するとともに、外力による変形に耐えられる可撓性を有するため、液体紙容器としての適性も具備することができる。
【００６９】
図６に示す例においては、紙基材層（１２）の容器表側には、表面プラスチックフィルム（１１）層が設けられている。表面にポリエチレン樹脂層を設ける場合には、たとえば低密度直鎖状ポリエチレン樹脂、または低密度ポリエチレン樹脂などを用いることができる。
【００７０】
積層体（１０）表面にポリエチレン樹脂層を形成するには、たとえば押し出し加工によって行なうことができる。あるいは、予めフィルムに成膜されたものを、ラミネートによって積層することもできる。
【００７１】
図６に示す例においては、表面プラスチックフィルム層（１１）の表面に印刷インク層（１７）を設けてあり、このような場合には印刷インク層（１７）との密着性向上を目的として、表面プラスチックフィルム層（１１）の表面にコロナ放電処理などの表面処理を行なうことができる。
【００７２】
印刷インク層（１７）は、必要に応じて商品としてのイメージアップや、内容物につい
ての必要な情報を積層体（１０）中の、外側から見える層に設けることができる。
【００７３】
ここで印刷方法および印刷インクにはとくに制約を設けるものではないが、既知の印刷方法、印刷材料の中からプラスチックフィルムへの印刷適性、色調などの意匠性、密着性、内溶液への影響、安全性などを考慮すれば、液体紙容器の目的に応じて適宜選択することができる。
【００７４】
たとえばグラビア印刷法、オフセット印刷法、グラビアオフセット印刷法、フレキソ印刷法、インクジェット印刷法、シルクスクリーン印刷法などから選択して用いることができる。中でもグラビア印刷法は、生産性や絵柄の高精細度において好ましく用いることができる。
【００７５】
紙基材層（１２）の容器内側には、接着樹脂層（１３）を介して、ガスバリア層（１４）が設けてある。ガスバリア層（１４）として、プラスチックフィルム表面に無機化合物層を設けたガスバリアフィルムを用いることができる。ガスバリアフィルム以外にも、ガスバリア層（１４）としてアルミニウム箔を用いることも可能である。ガスバリア層（１４）は、無機化合物層を、積層体（１０）中において、容器外側に向けて積層しても、容器内側に向けて積層してもよい。
【００７６】
シーラント層（１６）は、積層体（１０）の容器最内層に配置されるのであって、図６に示す例においては、ガスバリア層（１４）の容器内側に、接着剤層（１５）を介して積層されている。
【００７７】
このように本発明によれば、浴室など、高湿度あるいは湯水が降り注ぐ環境下においてもその機能を失うことのない、ポンプディスペンサ付き液体紙容器を提供することが可能である。
【００７８】
すなわち、液体紙容器本体（２０）が、基材とする紙のエッジウイックが０．５ｇ／１０００ｍｍ２以下のものを用いた積層体で構成されていることによって、浴室など、高湿度あるいは湯水が降り注ぐ環境下においてもその機能を失うことのない、ポンプディスペンサ付き液体紙容器の実現が可能になる。
【００７９】
また、積層体中にガスバリア層を設けることが可能であって、浴室など、高湿度あるいは湯水が降り注ぐ環境下においてもその機能を失うことのない、ポンプディスペンサ付き液体紙容器を提供することが可能であることに加えて、製品の段階、あるいは使用の段階において、内容物の外部環境による変化や変質を防止することが可能になり、内容物の長期保存性を向上させることに効果的である。
【実施例】
【００８０】
以下、本発明に関して、実施例１〜実施例４、および比較例１〜比較例４によって更に具体的な説明を加える。ただし本発明は、ここに示す例にのみ限定されるものではない。本発明は、請求項によって限定されるものである。
【００８１】
また、図７は、本発明に係るポンプディスペンサ付き液体紙容器の、実施例、および比較例を説明するための斜視模式図である。
【００８２】
＜実施例１＞
図７に示す形状のポンプディスペンサ付き液体紙容器を試作し評価した。
寸法は、紙容器本体は、
高さ（Ｈ）＝８５ｍｍ、幅（Ｗ）＝８５ｍｍ、奥行き（Ｄ）＝８５ｍｍ
ポンプディスペンサの長さ（Ｌ）は、
Ｌ＝１３５ｍｍ
である。
【００８３】
積層体（１０）の層構成、材料構成は図６に示すとおりである。
積層体表側から、
印刷インク層／表面プラスチックフィルム層（ポリエチレン樹脂）／紙基材層（エッジウィック０．２ｇ／１０００ｍｍ２）／接着樹脂層／ガスバリアフィルム層（ポリエチレンテレフタレートフィルム＋無機化合物蒸着）／接着剤層（ドライラミネート用接着剤）／シーラント層（低密度直鎖状ポリエチレン樹脂）。
【００８４】
＜実施例２＞
図７に示す形状のポンプディスペンサ付き液体紙容器を試作し評価した。
寸法は、紙容器本体は、
Ｈ＝８５ｍｍ、Ｗ＝８５ｍｍ、Ｄ＝８５ｍｍ
ポンプディスペンサは、
Ｌ＝１３５ｍｍ
である。
【００８５】
積層体（１０）の層構成、材料構成は図６に示すとおりである。
積層体表側から、
印刷インク層／表面プラスチックフィルム層（ポリエチレン樹脂）／紙基材層（エッジウィック０．３ｇ／１０００ｍｍ２）／接着樹脂層／ガスバリアフィルム層（ポリエチレンテレフタレートフィルム＋無機化合物蒸着）／接着剤層（ドライラミネート用接着剤）／シーラント層（低密度直鎖状ポリエチレン樹脂）。
【００８６】
すなわち、紙基材層の坪量３５０ｇ／ｍ２、紙厚０．４２ｍｍは同じで、紙基材層（エッジウィック０．３ｇ／１０００ｍｍ２）の部分のみが、実施例１と異なる。
【００８７】
＜実施例３＞
図７に示す形状のポンプディスペンサ付き液体紙容器を試作し評価した。
寸法は、紙容器本体は、
Ｈ＝８５ｍｍ、Ｗ＝８５ｍｍ、Ｄ＝８５ｍｍ
ポンプディスペンサは、
Ｌ＝１３５ｍｍ
である。
【００８８】
積層体（１０）の層構成、材料構成は図６に示すとおりである。
積層体表側から、
印刷インク層／表面プラスチックフィルム層（ポリエチレン樹脂）／紙基材層（エッジウィック０．４ｇ／１０００ｍｍ２）／接着樹脂層／ガスバリアフィルム層（ポリエチレンテレフタレートフィルム＋無機化合物蒸着）／接着剤層（ドライラミネート用接着剤）／シーラント層（低密度直鎖状ポリエチレン樹脂）。
【００８９】
すなわち、紙基材層の坪量３５０ｇ／ｍ２、紙厚０．４２ｍｍは同じで、紙基材層（エッジウィック０．４ｇ／１０００ｍｍ２）の部分のみが、実施例１と異なる。
【００９０】
＜実施例４＞
図７に示す形状のポンプディスペンサ付き液体紙容器を試作し評価した。
寸法は、紙容器本体は、
Ｈ＝８５ｍｍ、Ｗ＝８５ｍｍ、Ｄ＝８５ｍｍ
ポンプディスペンサは、
Ｌ＝１３５ｍｍ
である。
【００９１】
積層体（１０）の層構成、材料構成は図６に示すとおりである。
積層体表側から、
印刷インク層／表面プラスチックフィルム層（ポリエチレン樹脂）／紙基材層（エッジウィック０．５ｇ／１０００ｍｍ２）／接着樹脂層／ガスバリアフィルム層（ポリエチレンテレフタレートフィルム＋無機化合物蒸着）／接着剤層（ドライラミネート用接着剤）／シーラント層（低密度直鎖状ポリエチレン樹脂）。
【００９２】
すなわち、紙基材層の坪量３５０ｇ／ｍ２、紙厚０．４２ｍｍは同じで、紙基材層（エッジウィック０．５ｇ／１０００ｍｍ２）の部分のみが、実施例１と異なる。
【００９３】
＜比較例１＞
図７に示す形状のポンプディスペンサ付き液体紙容器を試作し評価した。
寸法は、紙容器本体は、
Ｈ＝８５ｍｍ、Ｗ＝８５ｍｍ、Ｄ＝８５ｍｍ
ポンプディスペンサは、
Ｌ＝１３５ｍｍ
である。
【００９４】
積層体（１０）の層構成、材料構成は図６に示すとおりである。
積層体表側から、
印刷インク層／表面プラスチックフィルム層（ポリエチレン樹脂）／紙基材層（エッジウィック０．６ｇ／１０００ｍｍ２）／接着樹脂層／ガスバリアフィルム層（ポリエチレンテレフタレートフィルム＋無機化合物蒸着）／接着剤層（ドライラミネート用接着剤）／シーラント層（低密度直鎖状ポリエチレン樹脂）。
【００９５】
すなわち、紙基材層の坪量３５０ｇ／ｍ２、紙厚０．４２ｍｍは同じで、紙基材層（エッジウィック０．６ｇ／１０００ｍｍ２）の部分のみが、実施例１と異なる。
【００９６】
＜比較例２＞
図７に示す形状のポンプディスペンサ付き液体紙容器を試作し評価した。
寸法は、紙容器本体は、
Ｈ＝８５ｍｍ、Ｗ＝８５ｍｍ、Ｄ＝８５ｍｍ
ポンプディスペンサは、
Ｌ＝１３５ｍｍ
である。
【００９７】
積層体（１０）の層構成、材料構成は図６に示すとおりである。
積層体表側から、
印刷インク層／表面プラスチックフィルム層（ポリエチレン樹脂）／紙基材層（エッジウィック０．７ｇ／１０００ｍｍ２）／接着樹脂層／ガスバリアフィルム層（ポリエチレンテレフタレートフィルム＋無機化合物蒸着）／接着剤層（ドライラミネート用接着剤）／シーラント層（低密度直鎖状ポリエチレン樹脂）。
【００９８】
すなわち、紙基材層の坪量３５０ｇ／ｍ２、紙厚０．４２ｍｍは同じで、紙基材層（エッジウィック０．７ｇ／１０００ｍｍ２）の部分のみが、実施例１と異なる。
【００９９】
＜比較例３＞
図７に示す形状のポンプディスペンサ付き液体紙容器を試作し評価した。
寸法は、紙容器本体は、
Ｈ＝８５ｍｍ、Ｗ＝８５ｍｍ、Ｄ＝８５ｍｍ
ポンプディスペンサは、
Ｌ＝１３５ｍｍ
である。
【０１００】
積層体（１０）の層構成、材料構成は図６に示すとおりである。
積層体表側から、
印刷インク層／表面プラスチックフィルム層（ポリエチレン樹脂）／紙基材層（エッジウィック０．８ｇ／１０００ｍｍ２）／接着樹脂層／ガスバリアフィルム層（ポリエチレンテレフタレートフィルム＋無機化合物蒸着）／接着剤層（ドライラミネート用接着剤）／シーラント層（低密度直鎖状ポリエチレン樹脂）。
【０１０１】
すなわち、紙基材層の坪量３５０ｇ／ｍ２、紙厚０．４２ｍｍは同じで、紙基材層（エッジウィック０．８ｇ／１０００ｍｍ２）の部分のみが、実施例１と異なる。
【０１０２】
＜比較例４＞
図７に示す形状のポンプディスペンサ付き液体紙容器を試作し評価した。
寸法は、紙容器本体は、
Ｈ＝８５ｍｍ、Ｗ＝８５ｍｍ、Ｄ＝８５ｍｍ
ポンプディスペンサは、
Ｌ＝１３５ｍｍ
である。
【０１０３】
積層体（１０）の層構成、材料構成は図６に示すとおりである。
積層体表側から、
印刷インク層／表面プラスチックフィルム層（ポリエチレン樹脂）／紙基材層（エッジウィック０．９ｇ／１０００ｍｍ２）／接着樹脂層／ガスバリアフィルム層（ポリエチレンテレフタレートフィルム＋無機化合物蒸着）／接着剤層（ドライラミネート用接着剤）／シーラント層（低密度直鎖状ポリエチレン樹脂）。
【０１０４】
すなわち、紙基材層の坪量３５０ｇ／ｍ２、紙厚０．４２ｍｍは同じで、紙基材層（エッジウィック０．９ｇ／１０００ｍｍ２）の部分のみが、実施例１と異なる。
【０１０５】
＜評価方法＞
実施例１〜実施例４、比較例１〜比較例４で作成したポンプディスペンサ付き液体紙容器を、１ヶ月間浴室で使用して、積層体端面（２１）からの水の浸透状況を、目視にて比較評価した。
【０１０６】
評価基準は下記のとおりである。
◎：外観上違和感なし。
〇：外観上許容レベル。
×：浸透痕が目立つ、またはシワ発生。
【０１０７】
評価結果を表１に示す。
【０１０８】
【表１】
2019099266.tif 000003
【０１０９】
表１に示す結果から、実施例１〜実施例４において、水の浸透状況の評価がいずれも〇評価すなわち外観上許容レベル、あるいは外観上許容レベルであるのに対し、比較例１〜比較例４において水の浸透状況の評価は、いずれも×評価である。
【０１１０】
この違いは、紙基材層のエッジウイックが、実施例１〜実施例４においては本発明による０．５ｇ／１０００ｍｍ２以下であるのに対し、比較例１〜比較例４においては、０．５ｇ／１０００ｍｍ２を超える値であることによるものである。
【０１１１】
このように、本発明によれば、浴室など、高湿度あるいは湯水が降り注ぐ環境下においても水の滲み込みによって外観を損なったり、内容物のくみ出しなどの機能を失うことのない、ポンプディスペンサ付き液体紙容器を提供することが可能であることを検証することができた。
【符号の説明】
【０１１２】
１・・・ポンプディスペンサ付き液体紙容器
２・・・ポンプディスペンサ取り付け孔
１０・・・積層体
１１・・・表面プラスチックフィルム層
１２・・・紙基材層
１３・・・接着樹脂層
１４・・・ガスバリア層
１５・・・接着剤層
１６・・・シーラント層
１７・・・印刷インク層
２０・・・紙容器本体
２１・・・積層体端面
２２・・・スパウト
２３・・・内溶液
２５・・・底面
３０・・・ポンプディスペンサ
３１・・・ポンプ部
３２・・・支持部材
３３・・・ポンプヘッド
３４・・・注出ノズル
３５・・・ピストン
３６・・・固定部
３７・・・シリンダ部
３８・・・切り欠き
４０・・・ブランクス
４２・・・天面板
４４・・・側面板
４６・・・側面板
４８・・・底面板
５０・・・側面三角板
５２・・・側面三角板
５４・・・側面三角板
５６・・・側面三角板
５８・・・側面折込板
６０・・・側面折込板
６２・・・側面折込板
６４・・・側面折込板
６６・・・側面折込板
６８・・・側面折込板
７０・・・側面折込板
７２・・・側面折込板
７４・・・側面矩形板
７６・・・側面矩形板
７８・・・側面矩形板
８０・・・側面矩形板
８２・・・シール部
８４・・・側面シール部
８６・・・側面シール部
Ｈ・・・高さ
Ｗ・・・幅
Ｄ・・・奥行き
Ｌ・・・長さ
【図１】
2019099266.tif 000004
【図２】
2019099266.tif 000005
【図３】
2019099266.tif 000006
【図４】
2019099266.tif 000007
【図５】
2019099266.tif 000008
【図６】
2019099266.tif 000009
【図７】
2019099266.tif 000010